(57)【要約】【課題】ダミーの扉のネジ固定作業を安全且つ容易にでき、外箱への扉の取り付け性を向上させること。【解決手段】外箱２の前面部２ａにダミーの扉４の上部４ａがスライド丁番５を介して回転可能に取り付けられる。スライド丁番５は、扉４側に取り付けられる扉側部材５Ａと、外箱２側に取り付けられる外箱側部材５Ｂとからなり、扉側部材５Ａ又は外箱側部材５Ｂの一方に係止凹部６と係止凸部７とをそれぞれ設け、他方に係止凹部６内に挿入係止される係止ピン８と、係止ピン８を係止凹部６に係止させた状態で係止凸部７に対して引掛け係止される回動爪９とをそれぞれ設ける。回動爪９は回動爪９を係止凸部７に押し付けたときに回動爪９が係止凸部７を乗り越えて係止凸部７に係止するバネ体１０を備えている。【選択図】　　　　図１
2004073389.tif 000002
【特許請求の範囲】
【請求項１】
下面が開放された外箱内に昇降する棚部を下方に引き降ろし自在に収納すると共に、外箱の前面部にダミーの扉を取り付けた電動昇降棚において、ダミーの扉の上部がスライド丁番を介して外箱に回転可能に取り付けられると共に扉の下部が外箱に対してネジ固定され、上記スライド丁番は、扉側に取り付けられる扉側部材と、外箱側に取り付けられる外箱側部材とからなり、扉側部材又は外箱側部材の一方に、一方向に向けて開口した係止凹部と、係止凹部の開口方向とは逆方向に向けて突出した係止凸部とをそれぞれ設け、扉側部材又は外箱側部材の他方に、上記係止凹部内に挿入係止される係止ピンと、係止ピンを係止凹部に係止させた状態で上記係止凸部に対して引掛け係止される回動爪とをそれぞれ設け、回動爪は回動爪を係止凸部に押し付けたときに回動爪が係止凸部を乗り越えて係止凸部に係止するバネ体を備えていることを特徴とする電動昇降棚。
【請求項２】
ダミーの扉の下部に配設した横桟に操作部を取り付け、外箱の前面下部に配設した下枠に照明器具が取り付けられると共に、扉の下部を外箱に固定するためのネジが挿通するネジ挿通孔が設けられ、ネジ挿通孔の下方に作業用開口が設けられ、照明器具及び作業用開口を下方から照明カバーにて被覆したことを特徴とする請求項１記載の電動昇降棚。
【請求項３】
照明カバーの背面に、昇降する棚部をガイドして棚部の位置規制及び揺れ防止を行なうための凸状ガイドを設けたことを特徴とする請求項２記載の電動昇降棚。
【請求項４】
操作部の配線は、扉の横桟の後方に引き出されて扉の背面に固定され、更に扉の上部のスライド丁番付近を通って外箱に設けた制御部に接続されていることを特徴とする請求項２記載の電動昇降棚。
【発明の詳細な説明】
【０００１】
【発明の属する技術分野】
本発明は、電動昇降棚に関し、詳しくは例えばキッチンのウォールユニットなどの収納庫に収納される電動昇降食器乾燥機等の外箱の前面部にダミーの扉を取り付ける技術に関するものである。
【０００２】
【従来の技術】
従来より、図８に示すように、下面が開放された外箱２内に昇降する棚部３を下方に引き降ろし自在に収納する電動昇降食器乾燥機等の電動昇降棚１において、外箱２の前面部２ａにダミーの扉４を取り付けた構造が知られている。図８中の７０は昇降機構ユニット、７１は昇降索である。
【０００３】
一般に、外箱２がキッチンのウォールユニット等の収納庫の場合において、昇降しない収納棚に隣接して電動昇降棚１が配設される場合が多く、この場合、昇降しない収納棚には開閉する扉が取り付けられており、この開閉する扉と外観を揃えるために、電動昇降棚１の前面部２ａには開くことができないダミーの扉４（擬似扉）が取り付けられている。
【０００４】
上記ダミーの扉４の取り付け方法として、従来は図９、図１０に示すように、扉４の上部４ａに上下に開口した差し込み孔５０付き金具４９を取り付け、該差し込み孔５０を外箱２に設けた扉受け金具５１の差し込み片５２に下方Ｌから差し込んだ状態で、図１１に示すように、扉４の下部４ｂに取り付けた扉固定金具２８の雌ネジ３０付き水平片２８ａを外箱２の前面下部に取り付けた扉受け金具３１の上面に載置し、この状態で下方からネジ４０を扉受け金具３１のネジ孔２９を挿通して扉固定金具２８の雌ネジ３０に螺合させることによって、扉４を固定していた。
【０００５】
【発明が解決しようとする課題】
ところが従来では、扉４の上部４ａの差し込み孔５０が差し込み片５２に下方から差し込まれているにすぎないため、扉４の下部４ｂのネジ固定作業のときには扉４が落下しないように手で支えながら、ネジ固定作業を行なう必要があり、手間がかかるという問題がある。殊に扉４の下部４ｂの扉固定金具２８の雌ネジ３０付き水平片２８ａは、外箱２の扉受け金具３１の上面に乗っているにすぎないため、ネジ固定の際に扉固定金具２８が扉受け金具３１から滑り落ちやすく、このため扉４が落下して下にいる人に当るなどの危険性もあった。
【０００６】
本発明は、上記の従来例の問題点に鑑みて発明したものであって、その目的とするところは、ダミーの扉のネジ固定作業を安全且つ容易にでき、外箱への扉の取り付け性を向上させることができる電動昇降棚を提供することにあり、他の目的とするところは、電動昇降棚の操作部の操作性を向上させることができ、外箱の外観を向上させることができ、棚部の昇降性を向上させることができ、さらに操作部の配線性を向上させることができる電動昇降棚を提供することにある。
【０００７】
【課題を解決するための手段】
上記課題を解決するために本発明にあっては、下面が開放された外箱２内に昇降する棚部３を下方に引き降ろし自在に収納すると共に、外箱２の前面部２ａにダミーの扉４を取り付けた電動昇降棚において、ダミーの扉４の上部４ａがスライド丁番５を介して外箱２に回転可能に取り付けられると共に扉４の下部４ｂが外箱２に対してネジ固定され、上記スライド丁番５は、扉４側に取り付けられる扉側部材５Ａと、外箱２側に取り付けられる外箱側部材５Ｂとからなり、扉側部材５Ａ又は外箱側部材５Ｂの一方に、一方向に向けて開口した係止凹部６と、係止凹部６の開口方向とは逆方向に向けて突出した係止凸部７とをそれぞれ設け、扉側部材５Ａ又は外箱側部材５Ｂの他方に、上記係止凹部６内に挿入係止される係止ピン８と、係止ピン８を係止凹部６に係止させた状態で上記係止凸部７に対して引掛け係止される回動爪９とをそれぞれ設け、回動爪９は回動爪９を係止凸部７に押し付けたときに回動爪９が係止凸部７を乗り越えて係止凸部７に係止するバネ体１０を備えていることを特徴としており、このように構成することで、最初に係止ピン８を係止凹部６に挿入して係止させた状態とし、この状態で、回動爪９を係止凸部７に押し付けると、回動爪９はバネ体１０のバネ力によって係止凸部７を乗り越えて係止凸部７に引掛け係止される。これにより、扉４の上部４ａを外箱２にワンタッチで引掛け係止できるようになり、この状態で、扉４を閉じて扉４の下部４ｂを外箱２の下部にネジ固定する。従って、扉４の下部４ｂのネジ固定作業の際に扉４が落下する心配がなく、従来のように扉４を手で支えながらネジ固定作業を行なう必要がなく、扉４の取り付け性を向上させることができる。
【０００８】
また上記ダミーの扉４の下部４ｂに配設した横桟１１に操作部１３を取り付け、外箱２の前面下部に配設した下枠１２に照明器具１４が取り付けられると共に、扉４の下部４ｂを外箱２に固定するためのネジ４０が挿通するネジ挿通孔１５が設けられ、ネジ挿通孔１５の下方に作業用開口１６が設けられ、照明器具１４及び作業用開口１６を下方から照明カバー１７にて被覆するのが好ましく、この場合、操作部１３が扉４に一体化して取り付けられるため、操作時に操作部１３が移動することがなく、操作性が向上する。またネジ挿通孔１５の下方の作業用開口１６からネジ固定作業ができるので、扉４の取り付け性が一層向上し、そのうえ、照明器具１４を外箱２の前面下部に配設した下枠１２に取り付けたので、照明器具１４の高さが常に一定になり、昇降する棚部３の高さに関係なく、照明器具１４の機能が十分に発揮されることとなり、外箱２の外観も向上する。
【０００９】
また上記照明カバー１７の背面１７ａに、昇降する棚部３をガイドして棚部３の位置規制及び揺れ防止を行なうための凸状ガイド１８を設けるのが好ましく、この場合、照明カバー１７を利用して昇降する棚部３の位置規制及び揺れ防止のためのガイドが可能となる。
【００１０】
また上記操作部１３の配線１９は、扉４の横桟１１の後方に引き出されて扉４の背面１７ａに固定され、更に扉４の上部４ａのスライド丁番５付近を通って外箱２に設けた制御部に接続されているのが好ましく、この場合、操作部１３を扉４に取り付けて操作性を向上させることができる上に、扉４を開いた際に操作部１３の配線１９が邪魔にならないようにできると共に、配線１９をスライド丁番５付近を通すことで、扉４の取り付け前に配線１９を行なった場合でも、扉４と外箱２との隙間に配線を挟む心配がなくなる。
【００１１】
【発明の実施の形態】
以下、本発明を添付図面に示す実施形態に基づいて説明する。
【００１２】
本実施形態の電動昇降棚１は、図１に示すように、下面が開放された外箱２と、外箱２内に下方に引き降ろし自在に収納される昇降する棚部３と、外箱２の前面部２ａに取り付けられるダミーの扉４（以下、単に「扉４」と称する。）とで主体が構成されている。外箱２の内部上部には図示省略したファンとヒータを備えた温風供給部が設置され、更に図示省略した滑車と巻き取りドラムと駆動モータを備えた昇降機構部が設置されており、外箱２の側板２０に設けたガイドレール４５に沿って棚部３を物品取出し・収納位置まで下降して乾燥するための食器類を収納し、その後、外箱２内に格納する格納位置までに上昇した後に、外箱２内にファンから温風を供給して乾燥を図る電動昇降食器乾燥機として使用されるものである。
【００１３】
上記外箱２の前面部２ａに取り付けられる扉４は、図２に示すように、上部がスライド丁番５を介して外箱２に回転可能に係止され、下部が外箱２に対してネジ固定されるようになっている。ここでは扉４は上扉部４Ａと下扉部４Ｂとに分離され、両者４Ａ，４Ｂの突き合わせ部が連結金具４６（図１）にて連結されている。
【００１４】
扉４の上部４ａを係止するためのスライド丁番５は、図３に示すように、扉４側に取り付けられる扉側部材５Ａと、外箱２側に取り付けられる外箱側部材５Ｂとからなる。本例では、扉側部材５Ａは、扉４に取り付けられる丁番本体２１と、丁番本体２１の前端部に一対のリンクプレート２４を介して回動自在に連結されるスライド部２３とからなる。外箱側部材５Ｂは、スライド部２３に対して係脱可能なマウンティングプレート２２からなる。
【００１５】
丁番本体２１において、一対のリンクプレート２４の各一端部は、図４（ａ）に示すように、丁番本体２１の前端部に設けた前後２箇所の軸部２４ａ，２４ｂにそれぞれ回転自在に軸支され、一対のリンクプレート２４の各他端部はスライド部２３の後端部に設けた前後２箇所の軸部２５ａ，２５ｂにそれぞれ回転自在に軸支される。丁番本体２１の中央部分には一対のリンクプレート２４が折り畳み状態で収納可能な収納凹所２５が凹設されている。扉４を開いた状態では一対のリンクプレート２４が図４（ａ）の矢印方向ｍに起立して収納凹所２５から出ることでスライド部２３は丁番本体２１に対してほぼ平行に展伸した状態（図３（ａ）の状態）となり、また扉４を閉じた状態では一対のリンクプレート２４が図４（ａ）の矢印方向ｎに折り畳まれて収納凹所２５内に収納されることでスライド部２３は展伸状態から丁番本体２１に対して垂直に折り畳まれた状態となる。
【００１６】
さらに、丁番本体２１のスライド部２３と、外箱２に取り付けられるマウンティングプレート２２との対向面には、係止手段が設けられている。本例の係止手段は、マウンティングプレート２２に設けられる係止凹部６及び係止凸部７と、丁番本体２１に設けられる係止ピン８（図４（ａ））及び回動爪９とで構成されている。図４（ｂ）に示す例では、マウンティングプレート２２の後端部に後方に向かって開口した係止凹部６が設けられ、前端部に前方に向かって突出した係止凸部７が設けられている。スライド部２３には、上記係止凹部６内に後方から挿入係止される係止ピン８と、係止ピン８を係止凹部６に係止させた状態で上記係止凸部７に対して引掛け係止される回動爪９とが設けられている。回動爪９は、軸部を中心として回動自在とされ、軸部には回動爪９を係止凸部７に係止する方向（図４（ｂ）の矢印ａの方向）に向かってバネ付勢するねじりバネからなるバネ体１０が装着されている。このバネ体１０は、回動爪９は回動爪９を係止凸部７に押し付けたときに回動爪９が係止凸部７を乗り越えて係止凸部７に係止するようにバネ付勢する働きをする。さらに回動爪９には、図４（ｂ）のａ方向への回動爪９の回動を規制するストッパー２６と、回動爪９を係止凸部７から離脱する方向（図４（ｂ）の矢印ｂの方向）に回動操作する操作つまみ２７とが一体に設けられている。
【００１７】
一方、扉４の下部４ｂには、図６、図７に示すように、略Ｕ字形の扉固定金具２８が取り付けられ、扉固定金具２８の底部分にはネジ孔２９（バカ孔）が設けられている。外箱２の下枠１２にはネジ挿通孔１５が上下に貫通しており、ネジ挿通孔１５の上面側の下枠１２に、雌ネジ３０を備えた扉受け金具３１がネジ６１にて固定されている。ネジ孔２９の下面側は作業用開口１６となっている。
【００１８】
ここで、上記扉４を外箱２に取り付けるにあたっては、予め丁番本体２１とマウンティングプレート２２とに分離して、丁番本体２１を扉４に固定し、マウンティングプレート２２を外箱２に固定する。この状態で、図３（ａ）のように丁番本体２１のスライド部２３を展伸させて、図３（ｂ）の矢印方向Ｃにスライド部２３の係止ピン８をマウンティングプレート２２の係止凹部６に挿入して係止させた状態とし、この状態で、図３（ｃ）の矢印方向Ｄに向かってスライド部２３をマウンティングプレート２２に向けて押し付ける。これにより、図４（ｂ）のようにスライド部２３に設けた回動爪９が係止凸部７に押し付けられる。このとき係止凸部７に設けたテーパー面３２（図４（ｂ））によって回動爪９には後方（係止凸部７から離れる方向）に向かう押し付け力がかかるため、バネ体１０のバネ力に抗して回動爪９は後方に回動し、係止凸部７を乗り越えた後はバネ力によって係止凸部７に引掛け係止されるようになる。その後、扉４を閉じて扉４の下部４ｂを外箱２の下部にネジ固定する。ここでは、図７のように、扉固定金具２８のネジ孔２９と扉受け金具３１の雌ネジ３０とが位置合わせされ、下枠１２の下方の作業用開口１６からネジ４０をネジ挿通孔１５を挿通して扉受け金具３１の雌ネジ３０を経てネジ孔２９に螺入させることで、扉４の下部４ｂを外箱２に対してネジ固定でき、扉４の取り付け作業が完了する。なお、扉４を取り外す場合は、ネジ４０を外して扉４の下部４ｂを開いて、扉４の上部４ａのスライド丁番５の回動爪９の操作つまみ２７を押すと、回動爪９が係止凸部７から外れて丁番本体２１とマウンティングプレート２２との係合が外れ、扉４を外箱２から簡単に取り外し可能となる。
【００１９】
しかして、上記のように扉４の上部４ａに取り付けた丁番本体２１と、外箱２に取り付けたマウンティングプレート２２とを、係止凹部６と係止ピン８、係止凸部７と回動爪９との引掛け方式でワンタッチで連結できるので、扉４の下部４ｂを外箱２にネジ固定する際に、扉４が落下する心配がなく、従って、従来のように扉４を手で支えながらネジ固定作業を行なう必要がなく、扉４の取り付け性を大幅に向上させることができる。しかも、扉４の上部４ａを係止させることで、扉４の下部４ｂのネジ固定時に扉４側に設けた扉固定金具２８と外箱２側に設けた扉受け金具３１との位置合わせができると共に、ネジ挿通孔１５の下方の作業用開口１６からネジ固定作業ができるので、扉４のズレや加工精度を気にすることなく、扉４をネジ固定できるので、施工性が向上する。そのうえネジ固定時に扉４の落下の心配がないため、高所での作業の安全性を十分に確保できるものである。
【００２０】
また上記電動昇降棚１の操作部１３の配線１９は、図２の矢印イで示すように扉４の横桟１１の後方に引き出されて扉４の背面１７ａに設けた複数の固定具１９ａにて固定され、さらに図２の矢印ロで示すように扉４の上部４ａのスライド丁番５付近を通って矢印ハで示すように外箱２内に引き込まれて、外箱２に設けた制御部６０（図５）に接続されるようになっている。これにより、扉４を開いた際に操作部１３の配線１９が邪魔にならないようにできると共に、配線１９をスライド丁番５付近を通すことで、扉４と外箱２との隙間に配線を挟む心配がなくなる。この結果、操作部１３の配線１９を気にすることなく、扉４を固定できるようになる。
【００２１】
次に、上記構成の電動昇降棚１に操作部１３及び照明器具１４を取り付ける構造を説明する。上記扉４の下部４ｂには、図５、図６に示すように、横桟１１が架設されており、この横桟１１の下面の端部寄りに、昇降する棚部３を操作する操作部１３が取り付けられている。ちなみに従来では、昇降する棚部３に操作部１３を取り付けているため、操作時に操作部１３が棚部３と一緒に移動して操作がし難いという問題があった。なお施工性、安全性の制約から、外箱２に固定することも試みられているが、この場合、操作部１３が外箱２の外側に突出し、外観上において必ずしも優れたものとはいえなかった。これに対して本発明では、扉４の横桟１１の下面に操作部１３を取り付けているため、操作部１３が扉４に一体化して取り付けられるようになり、操作時に操作部１３が移動することがなく、操作がしやすいものとなり、しかも従来のように外箱２から操作部１３が突出することがないため、外箱２の外観も良くなる。
【００２２】
一方、照明器具１４は、外箱２の前面下部に架設された下枠１２に取り付けられている。下枠１２の中央側には照明器具１４が取り付けられ、下枠１２の端部には前述のネジ挿通孔１５が設けられている。このネジ挿通孔１５の下方は作業用開口１６となっており、照明器具１４及び作業用開口１６が下方から断面略Ｕ形の照明カバー１７にて被覆されるようになっている。ちなみに従来では照明器具１４は昇降する棚部３の下部に設けられており、このため下降状態においては照明器具１４の位置が低くなりすぎ、十分に機能することができなかった。なお施工性、安全性の制約から、外箱２に固定することも試みられているが、この場合、外箱２の有効使用スペースが照明器具１４の分だけ狭くなり、使い勝手も良くなかった。これに対して本発明では、外箱２の前面下部に配設した下枠１２に照明器具１４を取り付けたので、照明器具１４の高さが一定になり、昇降する棚部３の高さに関係なく、照明器具１４の機能が十分に発揮されることとなる。しかも照明器具１４は外箱２の前面下部のデッドスペースを利用して取り付けられているため、照明器具１４によって外箱２の有効使用スペースが狭くなることもなく、使い勝手が向上するものである。
【００２３】
また、照明カバー１７は、図７に示すように、外箱２の側板２０に取り付けられている。ここでは、外箱２の側板２０にＬ字形のカバー取付金具３３の垂直部３３ａを取り付け、図６に示すカバー取付金具３３の水平部３３ｂに設けたネジ固定孔３４に照明カバー１７に設けたネジ固定孔３５が下方から合うようにしている。照明カバー１７の取り付けは、カバー取付金具３３に下方から照明カバー１７を押し当てて、ネジ固定孔３４，３５同士を合わせて、下方からネジ３６で締め付ける。これにより、照明カバー１７を外箱２に対して容易に固定できるようになる。また、照明カバー１７によって照明器具１４と作業用開口１６とをそれぞれ下から隠すことができるので、外箱２の外観が一層向上する。
【００２４】
さらに、上記照明カバー１７の背面１７ａには、図１、図７に示すように、昇降する棚部３をガイドして棚部３の位置規制及び揺れ防止を行なうための凸状ガイド１８が設けられている。ここでは、凸状ガイド１８は、照明カバー１７の背面１７ａから後方に向かって断面略台形状に突出しており、その先端面が棚部３の前面３ａに摺接するようになっている。また、外箱２の後面壁には、上記凸状ガイド１８と対向する位置に凸状ガイド１８ａ（図１）が突設され、棚部３の背面に摺接するようになっている。これにより、照明カバー１７に加わる揺れ等の外力を、凸状ガイド１８，１８ａとで受けることができ、しかも凸状ガイド１８は照明カバー１７及びカバー取付金具３３を介して外箱２の側板２０に支持されているため、凸状ガイド１８，１８ａにかかる外力はそれぞれ外箱２で受けることができる構造となっている。従って、凸状ガイド１８，１８ａによって、昇降する棚部３の位置規制及び揺れ防止ができ、スムーズな昇降を実現できると共に、仮りに凸状ガイド１８から照明カバー１７に大きな外力が加わった場合でも、その外力はカバー取付金具３３を介して外箱２全体で受け止められるので、照明カバー１７を利用して棚部３をガイドできる構造でありながら、照明カバー１７の破損を確実に防止できるものである。
【００２５】
【発明の効果】
上述のように請求項１記載の発明にあっては、下面が開放された外箱内に昇降する棚部を下方に引き降ろし自在に収納すると共に、外箱の前面部にダミーの扉を取り付けた電動昇降棚において、ダミーの扉の上部がスライド丁番を介して外箱に回転可能に取り付けられると共に扉の下部が外箱に対してネジ固定され、上記スライド丁番は、扉側に取り付けられる扉側部材と、外箱側に取り付けられる外箱側部材とからなり、扉側部材又は外箱側部材の一方に、一方向に向けて開口した係止凹部と、係止凹部の開口方向とは逆方向に向けて突出した係止凸部とをそれぞれ設け、扉側部材又は外箱側部材の他方に、上記係止凹部内に挿入係止される係止ピンと、係止ピンを係止凹部に係止させた状態で上記係止凸部に対して引掛け係止される回動爪とをそれぞれ設け、回動爪は回動爪を係止凸部に押し付けたときに回動爪が係止凸部を乗り越えて係止凸部に係止するバネ体を備えているので、最初に係止ピンを係止凹部に挿入して係止させた状態とし、この状態で、回動爪を係止凸部に押し付けると、回動爪はバネ体のバネ力によって係止凸部を乗り越えて係止凸部に引掛け係止される。これにより、扉の上部を外箱にワンタッチで引掛け係止できるようになり、この状態で、扉を閉じて扉の下部を外箱の下部にネジ固定する。従って、扉の下部のネジ固定作業の際に扉が落下する心配がなく、従来のように扉を手で支えながらネジ固定作業を行なう必要がなく、扉の取り付け性を向上させることができる。
【００２６】
また請求項２記載の発明は、請求項１記載の効果に加えて、ダミーの扉の下部に配設した横桟に昇降する棚部を操作する操作部を取り付けたので、操作部が扉に一体化して取り付けられるようになり、操作時に操作部が移動することがないため、操作性が向上すると共に、外箱の外観を損なうこともない。また、外箱の前面下部に配設した下枠に照明器具が取り付けられると共に、扉の下部を外箱に固定するためのネジが挿通するネジ挿通孔が設けられ、ネジ挿通孔の下方に作業用開口が設けられ、照明器具及び作業用開口を下方から照明カバーにて被覆したので、ネジ挿通孔の下方の作業用開口からネジ固定作業ができるので、扉の取り付け性を更に向上させることができる上に、照明器具を外箱の前面下部に配設した下枠に取り付けたので、照明器具の高さが常に一定になり、昇降する棚部の高さに関係なく、照明器具の機能が十分に発揮されることとなる。そのうえ、照明器具は外箱の前面下部のデッドスペースを利用して取り付けることができるので、照明器具によって外箱の有効使用スペースが狭くなることもなく、使い勝手が向上すると共に、照明カバーによって照明器具とネジ挿通孔の作業用開口とを下から覆うことで、外箱の外観が一層向上する。
【００２７】
また請求項３記載の発明は、請求項２記載の効果に加えて、照明カバーの背面に、昇降する棚部をガイドして棚部の位置規制及び揺れ防止を行なうための凸状ガイドを設けたので、照明カバーを利用して昇降する棚部の位置規制及び揺れ防止のためのガイドが可能となり、棚部の昇降性を向上させることができる。
【００２８】
また請求項４記載の発明は、請求項２記載の効果に加えて、操作部の配線は、扉の横桟の後方に引き出されて扉の背面に固定され、更に扉の上部のスライド丁番付近を通って外箱に設けた制御部に接続されているので、操作部を扉に取り付けて操作性を向上させることができる上に、扉を開いた際に操作部の配線が邪魔にならないようにできると共に、配線をスライド丁番付近を通すことで、扉と外箱との隙間に配線を挟む心配がなくなり、操作部の配線を気にすることなく扉を固定できるようになり、施工性が向上する。
【図面の簡単な説明】
【図１】本発明の実施形態の一例を示す一部切欠き側面図である。
【図２】同上の扉の上部をスライド蝶番にて外箱に引掛けた状態の側面図である。
【図３】同上のスライド丁番の丁番本体とマウンティングプレートとを説明する図であり、（ａ）（ｂ）は扉に取り付けた丁番本体のスライド部を外箱に取り付けたマウンティングプレートに引掛ける前の説明図、（ｃ）は係止ピンを係止凹部に係止した状態で回動爪を係止凸部に係止する場合の説明図である。
【図４】（ａ）は同上のスライド部と丁番本体とを連結するリンクプレートの説明図、（ｂ）は同上の回動爪付近の断面図である。
【図５】同上の扉を取り付けた後の電動昇降棚の正面図である。
【図６】同上の操作部付近の正面図である。
【図７】同上の外箱の照明カバー付近の側面図である。
【図８】従来の電動昇降棚の全体の側面図である。
【図９】従来の電動昇降棚の一部切り欠き側面図である。
【図１０】従来の扉の上部の取り付け状態の説明図である。
【図１１】従来の扉の下部のネジ固定状態の説明図である。
【符号の説明】
１　電動昇降棚
２　外箱
２ａ　前面部
３　棚部
４　扉
４ａ　上部
４ｂ　下部
５　スライド丁番
５Ａ　扉側部材
５Ｂ　外箱側部材
６　係止凹部
７　係止凸部
８　係止ピン
９　回動爪
１０　バネ体
１１　横桟
１２　下枠
１３　操作部
１４　照明器具
１５　ネジ挿通孔
１６　作業用開口
１７　照明カバー
１７ａ　背面
１８　凸状ガイド
１９　配線
４０　ネジ
【図１】
2004073389.tif 000003
【図２】
2004073389.tif 000004
【図３】
2004073389.tif 000005
【図４】
2004073389.tif 000006
【図５】
2004073389.tif 000007
【図６】
2004073389.tif 000008
【図７】
2004073389.tif 000009
【図８】
2004073389.tif 000010
【図９】
2004073389.tif 000011
【図１０】
2004073389.tif 000012
【図１１】
2004073389.tif 000013